(57)【要約】【課題】前面板に押し圧を加えたときに発生するプーリング現象を抑制することができる液晶表示装置を提供する。【解決手段】液晶表示パネルと、前記液晶表示パネルを保持するベゼルと、前記液晶表示パネルの表示面の全面に貼り付けられた前面板とを備える液晶表示装置であって、前記液晶表示装置は、前記前面板の外周部と前記ベゼルとの隙間に設けられたスペーサを有する液晶表示装置であり、好適には、前記スペーサは、前記前面板及び前記ベゼルの隙間に挟まれた状態で液状材料を硬化することによって形成される。【選択図】図１
2010091966.tif 000002
【特許請求の範囲】
【請求項１】
液晶表示パネルと、前記液晶表示パネルを保持するベゼルと、前記液晶表示パネルの表示面の全面に貼り付けられた前面板とを備える液晶表示装置であって、
前記液晶表示装置は、前記前面板の外周部と前記ベゼルとの隙間に設けられたスペーサを有することを特徴とする液晶表示装置。
【請求項２】
前記スペーサは、前記前面板及び前記ベゼルに固定されることを特徴とする請求項１記載の液晶表示装置。
【請求項３】
前記スペーサは、前記前面板及び前記ベゼルの隙間に挟まれた状態で液状材料を硬化することによって形成されることを特徴とする請求項１又は２記載の液晶表示装置。
【請求項４】
前記スペーサは、樹脂を含むことを特徴とする請求項１〜３のいずれかに記載の液晶表示装置。
【発明の詳細な説明】
【技術分野】
【０００１】
本発明は、液晶表示装置に関する。より詳しくは、携帯電話、ＰＤＡ（Ｐｅｒｓｏｎａｌ  Ｄｉｇｉｔａｌ  Ａｓｓｉｓｔａｎｔ）、ＰＤＡフォン、携帯ゲーム機、タブレットＰＣ（Ｐｅｒｓｏｎａｌ  Ｃｏｍｐｕｔｅｒ）等の携帯端末用の表示装置に好適な表示装置に関するものである。
【背景技術】
【０００２】
液晶表示装置は、薄型化及び低消費電力化が容易であり、また、小型から大型までの幅広い画面サイズに適用が可能である。そのため、液晶表示装置は、テレビ、パソコン用ディスプレイ、携帯端末用ディスプレイ等の幅広い用途に利用されている。液晶表示装置は、通常、一対の基板間に狭持された液晶の配向方向を電気的に制御し、そして、バックライトから供給される光量を調光することによって表示を行う。
【０００３】
また、携帯電話、ＰＤＡ、ＰＤＡフォン、携帯ゲーム機、タブレットＰＣ等の携帯端末の分野においては、液晶表示パネルの表示面と、カバー基板（化粧板）やタッチパネル等の前面板とを全面接着又は粘着させる技術（Ａｉｒ  ＧａｐＬｅｓｓ技術、以下、「ＡＧＬ技術」ともいう。）が開発されている。
【０００４】
このような液晶表示装置に関連して、例えば、前面に無反射処理したガラス板を有する受光型表示素子を用いた受光型表示装置を構成すると共に、前記ガラス板が該ガラス板の材料とほぼ屈折率の等しい材料であり前記受光型表示素子に貼り合わされている受光型表示装置が開示されている（例えば、特許文献１参照。）。
【０００５】
また、液晶セルの表示面に貼付された偏光板上に保護板が貼付されてなる液晶表示装置において、上記偏光板は偏光フィルムのみからなり、この偏光フィルムが紫外線硬化形接着剤により上記液晶セルの表示面及び上記保護板に直接接着されている液晶表示装置が開示されている（例えば、特許文献２参照。）。
【０００６】
更に、液晶表示素子を有する液晶表示部と、その液晶表示部の表示側に配設され、光を透過する光透過部と、その光透過部と前記液晶表示部との間に介在し、自身の屈折率が空気の屈折率よりも前記光透過部の屈折率に近く、且つ前記光透過部の変形を実質的に吸収できる程度の柔軟性を有する材料で構成されてなる緩衝部とを備えた液晶表示装置が開示されている（例えば、特許文献３参照。）。
【０００７】
そして、表示パネルとこれを照明する照明装置を備える表示装置において、前記表示パネルと前記照明装置は、表示面と相対する全面を透明樹脂により全面接着された表示装置が開示されている（例えば、特許文献４参照。）。
【特許文献１】特開昭６１−１２１０３７号公報
【特許文献２】実開平２−２７１２１号公報
【特許文献３】特開平７−１１４０１０号公報
【特許文献４】特開２００７−２２５６３３号公報
【発明の開示】
【発明が解決しようとする課題】
【０００８】
しかしながら、ＡＧＬ技術を用いた従来の液晶表示装置においては、特に前面板のエッジ部に指やタッチペンで押し圧を与えると、押し位置を中心に液晶表示画面が波打ったように見えるプーリング現象が発生し、表示品位が悪化することがあった。
【０００９】
なお、特許文献３に記載の技術によれば、押し圧による液晶表示パネルのダメージは回避することはできるが、特に前面板の周辺部に押し圧を加えた場合には、前面板が振動し、やはりプーリング現象が発生してしまう。
【００１０】
本発明は、上記現状に鑑みてなされたものであり、前面板に押し圧を加えたときに発生するプーリング現象を抑制することができる液晶表示装置を提供することを目的とするものである。
【課題を解決するための手段】
【００１１】
本発明者らは、前面板に押し圧を加えたときに発生するプーリング現象を抑制することができる液晶表示装置について種々検討したところ、前面板のエッジ部の構造に着目した。そして、ＡＧＬ技術を用いた従来の液晶表示装置においては、前面板のエッジ部の下は空気層となっているので、前面板のエッジ部に押し圧をかけると、前面板が押し圧によりひずみ、前面板及び液晶表示パネルの間にある部材（偏光板や貼り付け部材）のエッジ部が支点となって、前面板の表示領域側の部分を持ち上げてしまうことで円弧状のセル厚ムラが発生し、その結果、エッジ部を起点としたプーリング現象（円弧状の表示ムラ）が発生することを見いだすとともに、前面板の外周部と液晶表示パネルを保持するベゼルとの隙間にスペーサを設けることにより、前面板のエッジ部に押し圧がかかっても、スペーサが支点となり、エッジ部や液晶表示パネルの表示面に力が加わりにくくすることができることを見いだし、上記課題をみごとに解決することができることに想到し、本発明に到達したものである。
【００１２】
すなわち、本発明は、液晶表示パネルと、前記液晶表示パネルを保持するベゼルと、前記液晶表示パネルの表示面の全面に貼り付けられた前面板とを備える液晶表示装置であって、前記液晶表示装置は、前記前面板の外周部と前記ベゼルとの隙間に設けられたスペーサを有する液晶表示装置である。
【００１３】
これにより、前面板のエッジ部に押し圧がかかっても、スペーサ部が支点となり、前面板及び液晶表示パネルの間にある部材（偏光板や貼り付け部材）のエッジ部や液晶表示パネルの表示面に力が加わりにくくなるため、プーリング現象を改善することができる。
【００１４】
本発明の液晶表示装置の構成としては、このような構成要素を必須として形成されるものである限り、その他の構成要素を含んでいても含んでいなくてもよく、特に限定されるものではない。
本発明の液晶表示装置における好ましい形態について以下に詳しく説明する。なお、以下に示す各種形態は、適宜組み合わされてもよい。
【００１５】
前記スペーサは、前記前面板及び前記ベゼルに固定されてもよい。これにより、押し圧を開放した時でも液晶層の厚みが変化するのを抑制することができるので、プーリング現象をより抑制することができる。
【００１６】
前記スペーサは、前記前面板及び前記ベゼルの隙間に挟まれた状態で液状材料を硬化することによって形成されてもよい。これにより、液晶表示パネルと前面板との間隔をより高精度に制御することができるので、プーリング現象をより抑制することができる。
【００１７】
前記スペーサは、樹脂を含んでもよい。これにより、液晶表示パネルと前面板との間隔をより高精度に容易に制御することができる。
【発明の効果】
【００１８】
本発明の液晶表示装置によれば、前面板に押し圧を加えたときに発生するプーリング現象を抑制することができる。
【発明を実施するための最良の形態】
【００１９】
以下に実施形態を掲げ、本発明を図面を参照して更に詳細に説明するが、本発明はこれらの実施形態のみに限定されるものではない。
【００２０】
（実施形態１）
図１は、実施形態１の液晶表示装置の断面模式図であり、（ａ）は、全体図を示し、（ｂ）は、（ａ）中の破線で囲まれた領域を示す拡大図である。図２は、実施形態１の液晶表示装置の模式図であり、（ａ）は、平面模式図を示し、（ｂ）は、斜視模式図を示す。実施形態１のカバー基板の平面模式図である。図３（ａ）〜（ｄ）は、実施形態１の液晶表示装置の平面模式図である。
【００２１】
本実施形態の液晶表示装置１００は、図１（ａ）に示すように、液晶表示パネル１０と、液晶表示パネル１０の表示面側に配置された前面板であるカバー基板（化粧板）３０と、液晶表示パネル１０及びカバー基板３０間に設けられた貼り付け部材２１と、液晶表示パネル１０の後方側に配置されたバックライトユニット（図示せず）と、液晶表示パネル１０をバックライトユニットに固定する上ベゼル４１とを備える。
【００２２】
液晶表示装置１００は、液晶表示パネル１０とカバー基板３０とが貼り付け部材２１により貼り合わされた（あるいは固着又は固定された）構造を有する。このように、液晶表示装置１００は、液晶表示パネル１０の表示面と、カバー基板３０やタッチパネル等の前面板とを全面接着又は粘着させるＡＧＬ技術により作製される。
【００２３】
液晶表示パネル１０は、画素がマトリクス状に配列されたアクティブマトリクス型液晶表示パネルであり、図１（ｂ）に示すように、対向するＴＦＴアレイ基板１１及びカラーフィルタ基板（ＣＦ基板）１２と、ＣＦ基板１２の輪郭に沿って配置されたシール材１６とを有するとともに、ＴＦＴアレイ基板１１、ＣＦ基板１２及びシール材により形成された空間に液晶材料が充填されることによって、ＴＦＴアレイ基板１１及びＣＦ基板１２の間に液晶層１５が狭持された構造を有する。なお、シール材１６は、液晶層をＴＦＴアレイ基板１１及びＣＦ基板１２間に封止するための部材であり、画像表示を行う表示領域以外の領域、すなわち表示外領域（額縁領域）に配置されている。また、シール材１６及び液晶層１５の材質としては特に限定されず、適宜選択すればよい。
【００２４】
ＴＦＴアレイ基板１１は、無色透明の絶縁基板（例えば、ガラス基板）の液晶層１５側に、液晶表示パネル１０の表示素子の構成要素として、スイッチング素子である薄膜トランジスタ（ＴＦＴ）、画素電極、データ配線、走査配線等のバス配線、配向膜等が設けられている。
【００２５】
一方、ＣＦ基板１２は、無色透明の絶縁基板（例えば、ガラス基板）の液晶層１５側に、ブラックマトリクス（ＢＭ）、赤、青及び緑のカラーフィルタ、共通電極、配向膜等の部材が設けられている。
【００２６】
また、ＴＦＴアレイ基板１１及びＣＦ基板１２の外側（液晶層と反対側）の主面にはそれぞれ、偏光板１３ａ、１３ｂが設けられている。偏光板１３ａ、１３ｂは、液晶表示パネル１０の表示面（表示領域）を少なくとも覆うように設けられている。偏光板１３ａ、１３ｂは、ヨウ素錯体又は二色性色素を吸着させたＰＶＡ（ポリビニルアルコール）系フィルムから形成される偏光子がトリアセチルセルロース（ＴＡＣ）等のセルロース系ポリマーから形成される保護層により狭持されている。なお、ＴＦＴアレイ基板１１及び／又はＣＦ基板１２と、偏光板１３ａ、１３ｂとの間には、位相差板等の視野角補償フィルムが配置されてもよい。
【００２７】
カバー基板３０は、表示パネル１０を塵埃や衝撃から保護したり、液晶表示装置１００のデザイン性を向上したりするための基板（例えば、ガラス基板やプラスチック基板）であり、少なくとも上ベゼル４１を覆うように設けられる。また、液晶表示パネル１０の表示領域に対応するカバー基板３０の中央部３２は、透明部分の窓部であり、カバー基板３０の外周部３１には、光を遮断する印刷パターン３３が形成されている。これにより、表示領域以外の不要な部分をカバー基板３０により効果的に視認されなくすることができる。なお、印刷パターン３３は、形成されなくてもよい。
【００２８】
また、本実施形態の液晶表示装置１００は、前面板として、カバー基板３０の代わりに、タッチパネルを備えてもよい。
【００２９】
また、前面板の平面形状としては特に限定されず、矩形状、楕円形状、角が丸みを帯びた矩形状、矩形及び楕円形が組み合わされた形状等が挙げられる。更に、中央部３２及び外周部３１の平面パターンも特に限定されず、所望のデザインに合わせて適宜設定すればよい。
【００３０】
貼り付け部材２１は、接着剤、粘着剤又は両面テープ等のシート状貼り付け部材からなり、液晶表示パネル１０、より詳細には偏光板１３ａとカバー基板３０とを貼り合わせる。貼り付け部材２１は、液晶表示パネル１０の表示面（表示領域）を少なくとも覆うように設けられる。すなわち、カバー基板３０等の前面板は、液晶表示パネル１０の表示面（表示領域）を少なくとも覆うように設けられた貼り付け部材２１により液晶表示パネル１０（より詳細には偏光板１３ａ）に貼り付けられている。
【００３１】
上ベゼル４１は、液晶表示パネル１０をバックライトユニットに固定するための金属製のフレーム（枠状体）であり、図２に示すように、液晶表示パネル１０（より詳細には、前側基板であるＣＦ基板１２）の前面側周縁を保持している。また、上ベゼル４１は、液晶表示パネル１０の破壊強度を向上する働きを有する。更に、上ベゼル４１と液晶表示パネル１０とは、両面テープで固定されている。
【００３２】
上ベゼル４１の前面側周縁とカバー基板３０の外周部３１との間には、貼り付け部材２１及び偏光板１３ａに起因して、わずかではあるが隙間（空気層）が存在する。したがって、カバー基板３０（外周部３１）と上ベゼル４１とは、空気層を介して対向配置されているとも言える。
【００３３】
そして、カバー基板３０と上ベゼル４１との間には、カバー基板３０及び上ベゼル４１の間隔を保つためのスペーサ２２が設けられている。スペーサ２２は、カバー基板３０及び上ベゼル４１の少なくとも一方に固定されている。スペーサ２２は、予め成型されていてもよく、この場合、スペーサ２２を接着剤、粘着剤又は両面テープでカバー基板３０及び上ベゼル４１の少なくとも一方に固定してもよい。また、スペーサ２２は、液体状の樹脂をカバー基板３０と上ベゼル４１との間隙に充填してから硬化することによって形成してもよい。
【００３４】
スペーサ２２は、図３（ａ）、（ｂ）に示すように、偏光板１３ａのエッジ部から離れた位置に配置されてもよいし、偏光板１３ａのエッジ部からカバー基板３０及び上ベゼル４１の対向する全ての領域に配置されてもよい。すなわち、偏光板１３ａのエッジ部からカバー基板３０及び上ベゼル４１の対向する全ての領域にスペーサ２２の材料を充填してもよい。また、スペーサ２２は、図３（ａ）、（ｃ）に示すように、点状に配置されてもよいし、図３（ｄ）に示すように、液晶表示パネル１０の表示領域を囲むように環状に配置されてもよい。
【００３５】
ここで、本実施形態の液晶表示装置１００におけるプーリング現象抑制効果の原理について説明する。図４は、実施形態１の液晶表示装置を示す断面模式図であり、（ａ）は、押し圧無印加時を示し、（ｂ）は、押し圧印加時を示し、（ｃ）は、押し圧開放後を示す。
【００３６】
まず、押し圧無印加時では、図４（ａ）に示すように、液晶層１５の厚みｄ１は、均一でありムラが見られない。
【００３７】
次に、カバー基板３０の外周部３１に押し圧を印加した場合は、図４（ｂ）に示すように、印加場所のカバー基板３０は下側に変形する。しかしながら、カバー基板３０の外周部３１は、スペーサ２２及び上ベゼル４１により支えられている。すなわち、押し圧を印加した時にスペーサ２２が支点として機能する。したがって、カバー基板３０のスペーサ２２よりも偏光板１３ａ側の部分が変形するのが抑制される。そのため、貼り付け部材２１又は偏光板１３ａのエッジ部と液晶表示パネル１０の表示面とに押し圧による力が加わりにくくなり、その結果、押し圧を印加した場合でも液晶層１５の厚みｄ１が変化するのが抑制される。
【００３８】
そして、押し圧を開放した時には、図４（ｃ）に示すように、カバー基板３０の外周部３１は押し圧の反動で上側に変形しようとする。しかしながら、スペーサ２２をカバー基板３０及び上ベゼルとを固着させることによって、カバー基板３０が押し圧の反動で上側に変形するのを抑制することができる。したがって、カバー基板３０のスペーサ２２よりも偏光板１３ａ側の部分が変形するのが抑制される。そのため、貼り付け部材２１又は偏光板１３ａのエッジ部と液晶表示パネル１０の表示面とに押し圧の反動による力が加わりにくくなり、その結果、押し圧を開放した時でも液晶層１５の厚みｄ１が変化するのを抑制することができる。
【００３９】
以上より、カバー基板３０の外周部３１と上ベゼル４１との隙間にスペーサ２２を配置することにより、図５に示すように、例えカバー基板３０の外周部を指１５１等により押し圧を与えたとしても、プーリング現象が発生するのを抑制することができる。
【００４０】
また、上述のように、押し圧開放時のカバー基板３０の変形を抑制し、プーリング現象をより効果的に抑制する観点からは、スペーサ２２は、カバー基板３０及び上ベゼル４１の両方に固着（固定）されることが好ましい。
【００４１】
図６は、実施形態１の液晶表示装置の断面模式図である。
上述のように、上ベゼル４１と液晶表示パネル１０とは、両面テープで固定されている。したがって、プーリング現象をより効果的に抑制するために、図６に示すように、（表示領域におけるベゼル４１の底辺からカバー基板３０までの高さＢ）＝（カバー基板３０の外周部３１におけるベゼル４１の底辺からカバー基板３０までの高さＣ）が保持できる構造とすることが好ましい。そこで、ギャップＡの部分にスペーサ２２を配置することにしたが、更なる検討の結果、本発明者らは、ギャップＡにはバラツキ（個体差）があること、より具体的には、その高さには５０〜２００μｍのバラツキがあることを見出した。これは、液晶表示パネル１０（偏光板、基板等）や前記両面テープ等、それぞれの材料の厚みにバラツキがあり、一つ一つの製品でギャップＡが異なるためである。そのため、ここに両面テープ等の厚さ調整が不可能な材料（スペーサ）を持ってきたとしてもプーリング現象を充分に抑制できない可能性がある。すなわち、厚さ（高さ）が一定の材料ではギャップＡに対応できないことがある。そこで、製品それぞれで異なるギャップＡに対応すべく、スペーサ２２の材料としては、厚さ（高さ）調整材として機能する樹脂スペーサを用いることが好ましい。これにより、樹脂が硬化するまでに、樹脂の高さをギャップＡに合わせ、高さＢ＝高さＣが保持される構造に容易にすることができる。
【００４２】
次に、実施形態１の液晶表示装置の製造方法について説明する。図７（ａ）〜（ｃ）は、製造工程における実施形態１の液晶表示装置を示す断面模式図である。
【００４３】
まず、一般的な方法により、液晶表示パネル１０を作製する。なお、液晶表示パネル１０の液晶モードとして特に限定されず、ＴＮ（Ｔｗｉｓｔｅｄ  Ｎｅｍａｔｉｃ）モード、ＩＰＳ（Ｉｎ  Ｐｌａｎｅ  Ｓｗｉｔｃｈｉｎｇ）モード、ＭＶＡ（Ｍｕｌｔｉ−ｄｏｍａｉｎ  Ｖｅｒｔｉｃａｌ  Ａｌｉｇｎｍｅｎｔ）モード、ＶＡＴＮ（Ｖｅｒｔｉｃａｌ  Ａｌｉｇｎｍｅｎｔ  Ｔｗｉｓｔｅｄ  Ｎｅｍａｔｉｃ）モード等が挙げられる。また、液晶表示パネル１０は、配向分割されたものであってもよい。また、偏光板１３ａ、１３ｂの偏光軸の配置関係は、液晶モードに合わせて設定されるが、通常、偏光板１３ａ、１３ｂは、クロスニコル又は平行ニコルに配置される。
【００４４】
そして、図７（ａ）に示すように、上ベゼル４１に液晶表示パネル１０を組み込むとともに、上ベゼル４１及び液晶表示パネル１０を両面テープにより互いに固定する。また、上ベゼル４１内にバックライトユニットを組み込む。なお、バックライトユニットの構成としては、光源、反射板、光学シート類等の一般的な構成を有すればよい。また、バックライトユニットは、直下型であってもよいし、エッジライト型であってもよい。更に、バックライトユニットは、上記光学部材の他、下ベゼルを有してもよい。
【００４５】
次に、図７（ｂ）に示すように、液晶表示パネル１０の偏光板１３ａ又はカバー基板３０に、貼り付け部材２１として、樹脂からなる接着剤又は粘着剤を塗布するか、両面テープを貼り付ける。このとき同時に、スペーサ２２の材料である硬化前の液状樹脂を上ベゼル４１上に塗布する。
【００４６】
カバー基板３０のスペーサ２２に対応する位置に印刷パターン３３が形成されていない場合は、スペーサ２２の材料としては特に限定されず、例えば、紫外線により硬化する紫外線硬化型樹脂（アクリル系ラジカル重合型の樹脂やウレタン系・アクリル系カチオン硬化型の樹脂）や、室温又は加熱により反応が進行するエポキシ系接着剤（一液又は二液系）、嫌気性の接着剤等が挙げられる。
【００４７】
一方、カバー基板３０のスペーサ２２に対応する位置に印刷パターン３３が形成されている場合は、スペーサ２２の材料の光硬化が困難となるため、スペーサ２２の材料としては、室温又は加熱により硬化するエポキシ系接着剤（一液又は二液系）、嫌気性の接着剤等の硬化に光照射を必要としない樹脂が好ましい。
【００４８】
また、液状樹脂以外のスペーサ２２の材料としては、室温ではシート（テープ）状であり、加熱により軟化し、その後、リフロー下で硬化するシート状の接着剤も利用できる。ただし、液晶表示パネル１０との貼り合わせになるので、液晶表示パネル１０の耐熱温度（一般的には最大９０℃程度）以下でリフロー硬化できるシート状の接着剤であることが好ましい。
【００４９】
このように、スペーサ２２の材料として熱硬化性の材料を用いる場合は、液晶表示パネル１０の耐熱温度（一般的には最大９０℃程度）以下で硬化する材料が好適である。また、上述のように、カバー基板３０及び上ベゼル４１の間隙は、構成する部材の厚み交差ばらつきにより、ある程度バラツキを持っている。したがって、厚みが固定されたスペーサ、例えば粘着テープ等の固形のスペーサを用いると、スペーサの厚みと間隙とに差が生じ、逆にスペーサ２２を形成することでストレスが発生することがある。したがって、スペーサ２２の材料としては、このバラツキをキャンセルするためにも少なくとも硬化の過程で軟化し液状化する材料（例えば、接着剤）が好適である。
【００５０】
最後に、図７（ｃ）に示すように、大気圧下又は１０Ｐａ以下の減圧下で、液晶表示パネル１０にカバー基板３０を貼り合わせる。この後、必要に応じて、紫外線照射や加熱処理を行い、貼り付け部材２１やスペーサ２２の硬化を促進する。
【００５１】
スペーサ２２の特性については特に限定されないが、極端に弾性率が低く、やわらかい場合にはスペーサとして機能しないことがあるので、硬化したスペーサ２２は高弾性率を有することが好ましく、より具体的には、室温（２３℃）での弾性率が１０５Ｎ／ｍ以上であることが好ましい。
【００５２】
実施形態１の液晶表示装置は、以下のようにして作製してもよい。図８（ａ）〜（ｄ）は、別の製造工程における実施形態１の液晶表示装置を示す断面模式図である。
【００５３】
まず、図８（ａ）に示すように、偏光板１３ａ、１３ｂが貼り付けられた液晶表示パネル１０を上ベゼル４１に組み込むとともに、上ベゼル４１及び液晶表示パネル１０を両面テープにより互いに固定する。
【００５４】
次に、図８（ｂ）に示すように、液晶表示パネル１０の偏光板１３ａ又はカバー基板３０に、貼り付け部材２１として、樹脂からなる接着剤又は粘着剤を塗布するか、両面テープを貼り付ける。
【００５５】
次に、図８（ｃ）に示すように、大気圧下又は１０Ｐａ以下の減圧下で、液晶表示パネル１０にカバー基板３０を貼り合わせる。この後、必要に応じて、紫外線照射や加熱処理を行い、貼り付け部材２１の硬化を促進する。
【００５６】
最後に、図８（ｄ）に示すように、スペーサ２２の材料である硬化前の液状樹脂をカバー基板３０と上ベゼル４１との隙間にシリンジ等により注入する。この後、必要に応じて、紫外線照射や加熱処理を行い、スペーサ２２の硬化を促進する。
【００５７】
図９（ａ）〜（ｅ）は、製造工程における実施形態１の液晶表示装置の変形例を示す断面模式図である。
本実施形態の液晶表示装置１００は、図９（ｅ）に示すように、上ベゼルを有さず、下ベゼル４２を有する。下ベゼル４２は、液晶表示パネル１０をバックライトユニットに固定するための金属製のフレーム（枠状体）であり、液晶表示パネル１０（より詳細には、背面側基板であるＴＦＴアレイ基板１１）の背面側周縁を保持している。また、下ベゼル４２は、液晶表示パネル１０の破壊強度を向上する働きを有する。更に、下ベゼル４２と液晶表示パネル１０とは、両面テープで固定されている。
【００５８】
下ベゼル４２の前面側周縁とカバー基板３０の外周部３１との間は、貼り付け部材２１及び偏光板１３ａに起因して、わずかではあるが隙間（空気層）が存在する。したがって、カバー基板３０（外周部３１）と下ベゼル４２とは、空気層を介して対向配置されているとも言える。
【００５９】
そして、カバー基板３０と下ベゼル４２との間には、カバー基板３０及び下ベゼル４２の間隔を保つためのスペーサ２２が設けられている。スペーサ２２は、カバー基板３０及び下ベゼル４２の少なくとも一方に固定されている。
【００６０】
これにより、上記実施形態と同様に、例えカバー基板３０の外周部を指等により押し圧を与えたとしても、プーリング現象が発生するのを抑制することができる。
【００６１】
次に、本変形例の製造方法について説明する。
まず、図９（ａ）に示すように、偏光板１３ａ、１３ｂが貼り付けられた液晶表示パネル１０を準備する。
【００６２】
次に、図９（ｂ）に示すように、液晶表示パネル１０の偏光板１３ａ又はカバー基板３０に、貼り付け部材２１として、樹脂からなる接着剤又は粘着剤を塗布するか、両面テープを貼り付ける。
【００６３】
次に、図９（ｃ）に示すように、大気圧下又は１０Ｐａ以下の減圧下で、液晶表示パネル１０にカバー基板３０を貼り合わせる。この後、必要に応じて、紫外線照射や加熱処理を行い、貼り付け部材２１の硬化を促進する。
【００６４】
次に、図９（ｄ）に示すように、カバー基板３０付きの液晶表示パネル１０を下ベゼル４２に組み込むとともに、下ベゼル４２及び液晶表示パネル１０を両面テープにより互いに固定する。
【００６５】
最後に、図９（ｅ）に示すように、スペーサ２２の材料である硬化前の液状樹脂をカバー基板３０と下ベゼル４２との隙間にシリンジ等により注入する。この後、必要に応じて、紫外線照射や加熱処理を行い、スペーサ２２の硬化を促進する。
【００６６】
以上、本実施形態の液晶表示装置１００によれば、プーリング現象を抑制することができる。なお、液晶表示パネル１０は、透過型であってもよいし、反射型であってもよいし、半透過型（反射透過両用型）であってもよい。ただし、液晶表示パネル１０が反射型の場合は、バックライトユニットを設ける必要はないので、上ベゼル４１や下ベゼルに代えて、液晶表示パネル１０の破壊強度を向上するための保護ベゼル（金属製のフレーム（枠状体））を利用すればよい。なお、保護ベゼルは、液晶表示パネル１０と両面テープで固定されている。
【００６７】
また、本実施形態の液晶表示装置１００は、携帯電話等の電子機器の筐体に組み込まれ、両面テープ等で固定される。
【００６８】
（比較形態１）
図１０は、比較形態１の液晶表示装置の断面模式図であり、（ａ）は、全体図を示し、（ｂ）は、（ａ）中の破線で囲まれた領域を示す拡大図である。
本比較形態の液晶表示装置は、図１０に示すように、スペーサを有さないこと以外は実施形態１の液晶表示装置１００と同様の構成を有する。
【００６９】
図１１は、比較形態１の液晶表示装置を示す断面模式図であり、（ａ）は、押し圧無印加時を示し、（ｂ）は、押し圧印加時を示し、（ｃ）は、押し圧開放後を示す。
【００７０】
まず、押し圧無印加時では、図１１（ａ）に示すように、液晶層１５１の厚みｄ２は、均一でありムラが見られない。
【００７１】
次に、カバー基板１３０の外周部１３１に押し圧を印加した場合は、図１１（ｂ）に示すように、印加場所のカバー基板１３０は下側に変形する。そして、偏光板１３１ａ又は貼り付け部材１２１のエッジ部分が支点として機能する。したがって、カバー基板１３０のエッジ部分よりも偏光板１１３ａ側の部分が上側に持ち上がる。このように押し圧が原因となって、液晶層１５の厚みｄ２が増加するため、表示ムラとして視認される。
【００７２】
そして、押し圧を開放した時には、図１１（ｃ）に示すように、カバー基板１３０の外周部３１は押し圧の反動で上側に変形する。このとき、偏光板１３１ａ又は貼り付け部材１２１のエッジ部分が支点として機能し、カバー基板１３０のエッジ部分よりも偏光板１１３ａ側の部分が下側に下がる。このように押し圧の開放が原因となって、液晶層１５の厚みｄ２が減少するため、表示ムラとして視認される。
【００７３】
以上より、本比較形態の液晶表示装置においては、図１２に示すように、カバー基板１３１の外周部を指１５１等により押し圧を加えると、押し圧の印加と、押し圧の開放とによって、液晶層１５１の厚みｄ２が変化するため、液晶層１５１が波打ったように見えるプーリング現象が発生する。
【図面の簡単な説明】
【００７４】
【図１】実施形態１の液晶表示装置の断面模式図であり、（ａ）は、全体図を示し、（ｂ）は、（ａ）中の破線で囲まれた領域を示す拡大図である。
【図２】実施形態１の液晶表示装置の模式図であり、（ａ）は、平面模式図を示し、（ｂ）は、斜視模式図を示す。実施形態１のカバー基板の平面模式図である。
【図３】（ａ）〜（ｄ）は、実施形態１の液晶表示装置の平面模式図である。
【図４】実施形態１の液晶表示装置を示す断面模式図であり、（ａ）は、押し圧無印加時を示し、（ｂ）は、押し圧印加時を示し、（ｃ）は、押し圧開放後を示す。
【図５】実施形態１の液晶表示装置の平面模式図である。
【図６】実施形態１の液晶表示装置の断面模式図である。
【図７】（ａ）〜（ｃ）は、製造工程における実施形態１の液晶表示装置を示す断面模式図である。
【図８】（ａ）〜（ｃ）は、別の製造工程における実施形態１の液晶表示装置を示す断面模式図である。
【図９】（ａ）〜（ｅ）は、製造工程における実施形態１の液晶表示装置の変形例を示す断面模式図である。
【図１０】比較形態１の液晶表示装置の断面模式図であり、（ａ）は、全体図を示し、（ｂ）は、（ａ）中の破線で囲まれた領域を示す拡大図である。
【図１１】比較形態１の液晶表示装置を示す断面模式図であり、（ａ）は、押し圧無印加時を示し、（ｂ）は、押し圧印加時を示し、（ｃ）は、押し圧開放後を示す。
【図１２】比較形態１の液晶表示装置の平面模式図である。
【符号の説明】
【００７５】
１０、１１０：液晶表示パネル
１１、１１１：ＴＦＴアレイ基板
１２、１１２：ＣＦ基板
１３ａ、１３ｂ、１１３ａ、１１３ｂ：偏光板
１５、１１５：液晶層
１６、１１６：シール材
２１、１２１：貼り付け部材
２２：スペーサ
３０、１３０：カバー基板
３１：外周部
３２：中央部
３３、１３３：印刷パターン
４１、１４１：上ベゼル
４２：下ベゼル
１００：液晶表示装置
１５１：指
ｄ１、ｄ２：液晶層の厚み
Ａ：ギャップ
Ｂ、Ｃ：高さ
【図１】
2010091966.tif 000003
【図２】
2010091966.tif 000004
【図３】
2010091966.tif 000005
【図４】
2010091966.tif 000006
【図５】
2010091966.tif 000007
【図６】
2010091966.tif 000008
【図７】
2010091966.tif 000009
【図８】
2010091966.tif 000010
【図９】
2010091966.tif 000011
【図１０】
2010091966.tif 000012
【図１１】
2010091966.tif 000013
【図１２】
2010091966.tif 000014